(57)【要約】      （修正有）【課題】平板状シートの正極板に接する側の面に多数条の略平行な主リブが縦方向に沿って突設された鉛蓄電池用セパレータにおいて、生産性の低下や製造コストの増大を伴うことなく、簡易に耐酸化性能を向上しセパレータ機能の早期低下を防止し薄型セパレータにも対応し得る鉛蓄電池用セパレータと該セパレータを使用した鉛蓄電池を提供する。【解決手段】鉛蓄電池用セパレータは、平板状シートの正極板に接する側の面に多数条の略平行な主リブが縦方向に沿って突設され、前記主リブに連設され前記主リブと１５゜〜９０゜の角度をなして延びる線条の副リブを具備した鉛蓄電池用セパレータであって、前記主リブから延びた副リブは、当該主リブと隣接する他の主リブに接しておらず、前記副リブは、前記主リブと略同一面高さを有する。【選択図】図１
2006228637.tif 000002
【特許請求の範囲】
【請求項１】
平板状シートの正極板に接する側の面に多数条の略平行な主リブが縦方向に沿って突設され、前記主リブに連設され前記主リブと１５゜〜９０゜の角度をなして延びる線条の副リブを具備した鉛蓄電池用セパレータであって、前記主リブから延びた副リブは、当該主リブと隣接する他の主リブに接しておらず、前記副リブは、前記主リブと略同一面高さを有することを特徴とする鉛蓄電池用セパレータ。
【請求項２】
隣接した２条の前記主リブ間には、該２条の主リブの一方の主リブから延びる副リブと、他方の主リブから延びる副リブとが両方存在していることを特徴とする請求項１記載の鉛蓄電池用セパレータ。
【請求項３】
隣接した２条の前記主リブ間には、該２条の主リブの一方の主リブから延びる複数条の略平行な副リブと、他方の主リブから延びる複数条の略平行な副リブとが配置されていることを特徴とする請求項２記載の鉛蓄電池用セパレータ。
【請求項４】
隣接した２条の前記主リブ間には、該２条の主リブの一方の主リブから延びる複数条の略平行な副リブと、他方の主リブから延びる複数条の略平行な副リブとが存在し、前記一方の主リブから延びる副リブの先端部と、前記他方の主リブから延びる副リブの先端部とが縦方向に交互に配置されていることを特徴とする請求項３記載の鉛蓄電池用セパレータ。
【請求項５】
隣接した２条の前記主リブ間には、該２条の主リブの一方の主リブから延びる複数条の略平行な副リブと、他方の主リブから延びる複数条の略平行な副リブとが存在し、前記一方の主リブから延びる副リブの先端部と、前記他方の主リブから延びる副リブの先端部とが縦方向に交互に配置され、しかも、前記交互に配置された隣接する先端部同士が縦方向の重なり位置にあることを特徴とする請求項４記載の鉛蓄電池用セパレータ。
【請求項６】
隣接した２条の前記主リブ間には、該２条の主リブの一方の主リブから延びる複数条の略平行な副リブと、他方の主リブから延びる複数条の略平行な副リブとが存在し、前記一方の主リブから延びる副リブ及び前記他方の主リブから延びる副リブが何れも、斜め上方向に延びていることを特徴とする請求項３乃至５の何れかに記載の鉛蓄電池用セパレータ。
【請求項７】
前記主リブ及び前記副リブが、前記セパレータの基部と同材質であり、該基部と共に一体成形されていることを特徴とする請求項１乃至６の何れかに記載の鉛蓄電池用セパレータ。
【請求項８】
前記セパレータの基部が、ポリオレフィン系樹脂を骨格材としてなるものであることを特徴とする請求項１乃至７の何れかに記載の鉛蓄電池用セパレータ。
【請求項９】
請求項１乃至８の何れかに記載のセパレータを、前記主リブ及び前記副リブを配置した面を正極板側に向けて使用したことを特徴とする鉛蓄電池。
【発明の詳細な説明】
【技術分野】
【０００１】
本発明は、平板状シートの正極板に接する側の面に多数条の略平行な主リブが縦方向に沿って突設された鉛蓄電池用セパレータと該セパレータを使用した鉛蓄電池に関する。
【背景技術】
【０００２】
自動車用バッテリーとして使用される鉛蓄電池は、エキスパンド式極板を採用することで低コスト化を図っているが、エキスパンド式極板は鋳造式極板に比べ活物質の脱落が起こり易いため、エキスパンド式極板を使用した鉛蓄電池では、セパレータのエンベロープ化が通常行われている。このため、このような鉛蓄電池のセパレータとしては、硫酸電解液に対する耐酸性を有し、エンベロープ化が容易な材料であるポリオレフィン系樹脂を骨格材とした微多孔質フィルムからなるセパレータが主に使用されている。
【０００３】
ところが、鉛蓄電池の場合、セパレータの正極板に接する側の面では、正極板からの発生期酸素による強い酸化力を受けるが、上記セパレータでは、骨格材であるポリオレフィン系樹脂が前記強い酸化力によって損耗・劣化し、セパレータの機能が早期に低下し易い。このため、前記セパレータの正極板に接する側の面には、リブと呼ばれる所定高さの突起を設け、セパレータの基面（基部）が正極板と直に接しないようにし正極板からの強い酸化力によるセパレータ基面の損耗・劣化を生じにくくするようにされており、また、該リブは、ガス排出性を考慮して、通常は、多数条の略平行な主リブが縦方向に沿って突設されている。特に、近年の鉛蓄電池の高出力化、高性能化に伴い、セパレータは薄型化される傾向にあり、セパレータ基面の厚さ（ベース厚さ）が０．２ｍｍ以下の薄肉セパレータが主流になりつつあり、セパレータ基面が従来よりも早期に損耗・劣化によりセパレータ機能を失う程度のダメージを受けるに至り易くなっていることから、セパレータ基面に対して及ぶ発生期酸素の酸化力の影響を軽減させることの重要性が更に高まっている。尚、前記リブは、電池内に十分な電解液を確保するという役目もある。
【０００４】
ところが、このような平板状シートの正極板に接する側の面に多数条の略平行な主リブが縦方向に沿って突設されるセパレータは、通常、生産性を考慮し、ポリオレフィン系樹脂と他の所定成分を含有した材料を溶融し金型等により前記リブを一体に成形する方法で製造されるため、前記リブの材質も、前記ポリオレフィン系樹脂を骨格材とするものであり、正極板と直に接する該リブは、前記正極板の強い酸化力によって損耗・劣化を生じ、徐々に当初の所定のリブ高さを失い、リブ高さが低くなってくる。
リブ高さが低くなると、リブを設けたことによる、セパレータ基面の正極板との直接的な接触を防止する効果が失われるため、セパレータ基面が損耗・劣化を生じ易くなり、セパレータ機能が早期に低下し電池寿命の低下を招く。つまり、平板状シートであるセパレータにリブを設けることのそもそもの趣旨からすれば、リブは電池使用が進んでも初期のリブ高さをずっと維持し続けることが理想であると言えるが、実際にはそのようにはなっていない。
【０００５】
このような現象を解決する方法（リブの耐酸化性を向上しリブ高さが容易に低下しないようにする方法）として、リブをセパレータ基面と別部材（高耐酸化性の材料）とする方法も考えられるが、この方法では、リブを前記したような一体成形にて製造することができなくなり、生産性を低下させ、セパレータ単価を高めるため、エキスパンド式極板を採用した安価な鉛蓄電池のセパレータとして採用することができない。
また、他の方法として、リブの頂面に、高耐酸化性の材料を被覆等する方法も考えられるが、この方法でも、やはり、製造工程の追加により生産性の低下が避けられず、セパレータ単価が高くなり、エキスパンド式極板を採用した安価な鉛蓄電池のセパレータとして採用することができない。
【発明の開示】
【発明が解決しようとする課題】
【０００６】
そこで、本発明は、平板状シートの正極板に接する側の面に多数条の略平行な主リブが縦方向に沿って突設された鉛蓄電池用セパレータにおいて、生産性の低下や製造コストの増大を伴うことなく、簡易に耐酸化性能を向上しセパレータ機能の早期低下を防止し薄型セパレータにも対応し得る鉛蓄電池用セパレータと該セパレータを使用した鉛蓄電池を提供することを目的とする。
【課題を解決するための手段】
【０００７】
本発明の鉛蓄電池用セパレータは、前記目的を達成するべく、請求項１に記載の通り、平板状シートの正極板に接する側の面に多数条の略平行な主リブが縦方向に沿って突設され、前記主リブに連設され前記主リブと１５゜〜９０゜の角度をなして延びる線条の副リブを具備した鉛蓄電池用セパレータであって、前記主リブから延びた副リブは、当該主リブと隣接する他の主リブに接しておらず、前記副リブは、前記主リブと略同一面高さを有することを特徴とする。
また、請求項２記載の鉛蓄電池用セパレータは、請求項１記載の鉛蓄電池用セパレータにおいて、隣接した２条の前記主リブ間には、該２条の主リブの一方の主リブから延びる副リブと、他方の主リブから延びる副リブとが両方存在していることを特徴とする。
また、請求項３記載の鉛蓄電池用セパレータは、請求項２記載の鉛蓄電池用セパレータにおいて、隣接した２条の前記主リブ間には、該２条の主リブの一方の主リブから延びる複数条の略平行な副リブと、他方の主リブから延びる複数条の略平行な副リブとが配置されていることを特徴とする。
また、請求項４記載の鉛蓄電池用セパレータは、請求項３記載の鉛蓄電池用セパレータにおいて、隣接した２条の前記主リブ間には、該２条の主リブの一方の主リブから延びる複数条の略平行な副リブと、他方の主リブから延びる複数条の略平行な副リブとが存在し、前記一方の主リブから延びる副リブの先端部と、前記他方の主リブから延びる副リブの先端部とが縦方向に交互に配置されていることを特徴とする。
また、請求項５記載の鉛蓄電池用セパレータは、請求項４記載の鉛蓄電池用セパレータにおいて、隣接した２条の前記主リブ間には、該２条の主リブの一方の主リブから延びる複数条の略平行な副リブと、他方の主リブから延びる複数条の略平行な副リブとが存在し、前記一方の主リブから延びる副リブの先端部と、前記他方の主リブから延びる副リブの先端部とが縦方向に交互に配置され、しかも、前記交互に配置された隣接する先端部同士が縦方向の重なり位置にあることを特徴とする。
また、請求項６記載の鉛蓄電池用セパレータは、請求項３乃至５の何れかに記載の鉛蓄電池用セパレータにおいて、隣接した２条の前記主リブ間には、該２条の主リブの一方の主リブから延びる複数条の略平行な副リブと、他方の主リブから延びる複数条の略平行な副リブとが存在し、前記一方の主リブから延びる副リブ及び前記他方の主リブから延びる副リブが何れも、斜め上方向に延びていることを特徴とする。
また、請求項７記載の鉛蓄電池用セパレータは、請求項１乃至６の何れかに記載の鉛蓄電池用セパレータにおいて、前記主リブ及び前記副リブが、前記セパレータの基部と同材質であり、該基部と共に一体成形されていることを特徴とする。
また、請求項８記載の鉛蓄電池用セパレータは、請求項１乃至７の何れかに記載の鉛蓄電池用セパレータにおいて、前記セパレータの基部が、ポリオレフィン系樹脂を骨格材としてなるものであることを特徴とする。
また、本発明の鉛蓄電池は、前記目的を達成するべく、請求項９に記載の通り、請求項１乃至８の何れかに記載のセパレータを、前記主リブ及び前記副リブを配置した面を正極板側に向けて使用したことを特徴とする。
【発明の効果】
【０００８】
本発明によれば、平板状シートの正極板に接する側の面に多数条の略平行な主リブが縦方向（鉛蓄電池の垂直方向）に沿って突設されてなる鉛蓄電池用セパレータにおいて、前記主リブに連設され前記主リブと１５゜〜９０゜の角度をなして延びる線条の副リブを具備し、前記主リブから延びた副リブは、当該主リブと隣接する他の主リブに接しておらず、前記副リブは、前記主リブと略同一面高さを有するように構成したので、生産性の低下や製造コストの増大を伴うことなく、またガス排出性を損なうことなく、簡易にセパレータの耐酸化性の向上が図れ、高耐酸化性の鉛蓄電池用セパレータを得ることができる。よって、特に、エキスパンド式極板を採用した安価な鉛蓄電池のセパレータとして好適に使用し得る。
また、前記特徴の鉛蓄電池用セパレータを、前記主リブ及び前記副リブを配置した面を正極板側に向けて使用して鉛蓄電池を構成した場合には、前記セパレータの耐酸化性向上により、電池性能の向上が図れる。
【発明を実施するための最良の形態】
【０００９】
本発明の鉛蓄電池用セパレータは、平板状シートの正極板に接する側の面に多数条の略平行な主リブが縦方向に沿って突設される鉛蓄電池用セパレータであって、前記主リブに連設され前記主リブと１５゜〜９０゜の角度をなして延びる線条の副リブを具備し、前記主リブから延びた副リブは、当該主リブと隣接する他の主リブに接しておらず、前記副リブは、前記主リブと略同一面高さを有することを条件とする。
【００１０】
前記主リブに連設され前記主リブと１５゜〜９０゜の角度をなして延びる線条の副リブを、しかも、該副リブが前記主リブと略同一面高さを有するように設けたことで、電池使用初期から、前記主リブと前記副リブの両方が正極板と接するようになり、前記主リブが正極板と直に接することで受ける損耗・劣化を和らげることができる。尚、前記副リブを設けたことにより、セパレータの変形（波打ち等）や極板の変形（反り、膨らみ等）による電池使用初期からのセパレータ基面と正極板との直接的な接触の可能性を極力排除することができており（実際には副リブの配置角度、副リブの長さ等の条件に影響を受ける）、本発明の本質的な狙いは、リブの高さ減少の進行を遅らせ、リブ高さの減少によるセパレータ基面と正極板との直接的な接触の機会が早期に増えるのを防止することである。
【００１１】
また、前記副リブを前記主リブに連設して前記主リブと１５゜〜９０゜の角度をなして延びるように設けたことで、前記セパレータの連続シートをロール状に巻いたロール状製品とする場合に、シート長さ方向に沿う線条（特に直線状）の平行主リブをシート表面に有することによる巻き状態の不安定さを解消し、巻き状態を安定化して巻き崩れの発生を防止することができる利点もある。
【００１２】
また、前記副リブを前記主リブに連設して前記主リブと１５゜〜９０゜の角度をなして延びるように設けたことで、一定の高さを有して一定方向に延びる前記主リブに対して前記副リブが横から支える作用を有するようになるため、前記セパレータの連続シートをロール状に巻いたロール状製品とする場合に、一定高さの線条の主リブをシート表面に有することによるリブ倒れの発生を抑える効果が得られる利点もある。
【００１３】
また、前記主リブから延びた前記副リブが、当該主リブと隣接する他の主リブに接しないようにしたことで、通常前記主リブ間に作られるガス排出路を完全には塞がないようにすることができるので、前記副リブを設けたことによりガス排出性が阻害されることを防止することができる。
【００１４】
また、本発明の鉛蓄電池用セパレータは、隣接した２条の前記主リブ間には、該２条の主リブの一方の主リブから延びる副リブと、他方の主リブから延びる副リブとが両方存在しているように構成されることが好ましい。
【００１５】
更に、その場合、隣接した２条の前記主リブ間には、該２条の主リブの一方の主リブから延びる複数条の略平行な副リブと、他方の主リブから延びる複数条の略平行な副リブとが配置されるように構成されることが好ましい。
【００１６】
また、更に、その場合、隣接した２条の前記主リブ間には、該２条の主リブの一方の主リブから延びる複数条の略平行な副リブと、他方の主リブから延びる複数条の略平行な副リブとが存在し、前記一方の主リブから延びる副リブの先端部と、前記他方の主リブから延びる副リブの先端部とが縦方向に交互に配置されるように構成されることが好ましい。
【００１７】
また、更に、その場合、隣接した２条の前記主リブ間には、該２条の主リブの一方の主リブから延びる複数条の略平行な副リブと、他方の主リブから延びる複数条の略平行な副リブとが存在し、前記一方の主リブから延びる副リブの先端部と、前記他方の主リブから延びる副リブの先端部とが縦方向に交互に配置され、しかも、前記交互に配置された隣接する先端部同士が縦方向の重なり位置にあるように構成されることが好ましい。
【００１８】
このようにした場合は、通常、電池使用中には、セパレータの変形（波打ち等）や極板の変形（反り、膨らみ等）により、隣接する主リブ間のセパレータ基面の主に中央部付近が電池使用初期から正極板との直接的な接触にさらされる危険性が高いが、前記セパレータ基面の中央部付近には必ず縦方向に見て前記副リブ（主リブと略同一高さ）が一定間隔に存在するようになるため、この危険性を回避することができる。
【００１９】
また、このようにした場合は、セパレータ基面の劣化がある程度以上進行した際にセパレータ基面の縦方向に平行な亀裂が生じる現象の発生（セパレータ機能の低下につながる）を未然に防止することができる。つまり、セパレータ基面において、周辺に比べ特に劣化が進行して脆弱となった部位を起点として縦長に亀裂が生じようとする際に、その延長線上には、必ず副リブが存在することになるので、縦長の亀裂の発生を食い止める作用を有する。
【００２０】
また、本発明の鉛蓄電池用セパレータは、隣接した２条の前記主リブ間には、該２条の主リブの一方の主リブから延びる複数条の略平行な副リブと、他方の主リブから延びる複数条の略平行な副リブとが存在し、前記一方の主リブから延びる副リブ及び前記他方の主リブから延びる副リブが何れも、斜め上方向に延びているように構成されることが好ましい。
このようにすることで、副リブを設けたことによりガス排出性が阻害されることをより確実に防止することができる。
【００２１】
また、本発明の鉛蓄電池用セパレータは、前記主リブ及び前記副リブが、前記セパレータの基部と同材質であり、該基部と共に一体成形されているものであることが好ましい。
このようにした場合は、生産性、製造コスト面でも有利なセパレータとすることができる。
【００２２】
また、前記セパレータの基部は、ポリオレフィン系樹脂を骨格材としてなるものであることが好ましい。
このようなセパレータを得るには、例えば、ポリオレフィン系樹脂、無機粉体、可塑剤を夫々適量配合した原料組成物を二軸押出機により加熱溶融・混練しながらシート状に押し出し、所定のリブ形状を付与するように予め所定の溝を刻設された一対の成形ロール間を通して所定厚さ・所定形状のシートに成形後、前記可塑剤と相溶性を有する適当な溶媒中に浸漬して前記可塑剤の所定量を抽出除去し、乾燥することによって得ることができる。
【実施例】
【００２３】
次に、本発明の実施例について従来例と共に一部図面を参照しながら詳細に説明する。図１は、実施例の鉛蓄電池用セパレータの平面概略図であり、図２は、図１の要部拡大図であり、図３は、図２のＡ−Ａ線断面図である。
（実施例）
ポリオレフィン系樹脂として重量平均分子量１５０万のポリエチレン樹脂３０部（質量部、以下同じ）と、無機粉体として比表面積２００ｍ2／ｇのシリカ微粉体５７部と、可塑剤として鉱物オイル１２５部と、界面活性剤（固形分７０質量％）２部とをヘンシェルミキサにて攪拌・混合し、該混合物を、二軸押出機を用いて加熱溶融・混練しながらＴダイから押し出し、一方のロール表面に所定のリブ形成用の溝を刻んだ成形ロール間を通して成形し、所定厚さ、所定形状のシートを得た。次に、該シートを前記可塑剤と相溶性を有する抽出溶剤（ｎ−ヘキサン）中に浸漬して前記可塑剤の所定量を抽出除去し、乾燥して、ポリエチレン樹脂を骨格材とし鉱物オイルを１３質量％含んだ、ベース厚さ０．１５ｍｍ、主リブ高さ０．８５ｍｍ、総厚さ１．００ｍｍの微多孔質フィルムからなる鉛蓄電池用セパレータを得た。
【００２４】
前記鉛蓄電池用セパレータ１は、平板状シート２の正極板に接する側の面３に多数条の平行な直線状の主リブ４，４，・・・（リブピッチ１０ｍｍ）が縦方向に沿って突設されている。そして、前記主リブ４に連設されるように前記主リブ４と４５゜の角度をなして斜め上方向に延びる直線状の副リブ５が存在し、前記副リブ５は、前記主リブ４と同じ０．８５ｍｍのリブ高さ１１を有している。
【００２５】
前記副リブ５について更に詳細に説明すると、隣接した２条の前記主リブ４，４間には、該２条の主リブ４，４の一方の主リブ４から延びる複数条の略平行な直線状の副リブ５，５，・・・（リブピッチ２０ｍｍ）と、他方の主リブ４から延びる複数条の略平行な直線状の副リブ５，５，・・・（リブピッチ２０ｍｍ）とが配置され、前記一方の主リブ４から延びる副リブ５の先端部８と、前記他方の主リブ４から延びる副リブ５の先端部８とが縦方向に交互に配置され、しかも、前記交互に配置された隣接する先端部８，８同士が縦方向の重なり位置にある。
【００２６】
（従来例）
実施例において、前記副リブ５を設けないこと以外はすべて実施例と同様にして、ポリエチレン樹脂を骨格材とし鉱物オイルを１３質量％含んだ、ベース厚さ０．１５ｍｍ、主リブ高さ０．８５ｍｍ、総厚さ１．００ｍｍの微多孔質フィルムからなる鉛蓄電池用セパレータを得た。
【００２７】
次に、上記にて得られた実施例及び従来例の各鉛蓄電池用セパレータについて、以下の方法によりセパレータ諸特性を評価した。また、前記実施例及び従来例の各鉛蓄電池用セパレータを使用して、以下の方法により試験用電池を作製し、電池寿命を評価した。結果を表１に示す。
〈厚さ，引張強さ，伸び，電気抵抗〉
電池工業会規格ＳＢＡ  Ｓ  ０４０２に準拠した方法にて測定した。
〈平均孔径〉
水銀圧入法により測定した。
〈耐酸化時間〉
５０ｍｍ×５０ｍｍの鉛板製の正極及び負極を、７０ｍｍ×７０ｍｍのセパレータを挟んで積層し、該積層した正極、セパレータ、負極からなる極群に１９．６ｋＰａの加圧をかけて電槽内に組み込んだ後、比重１．３００（２０℃）の希硫酸電解液を１０００ｍｌ注入し、液温度５０±２℃で５．０Ａの直流定電流を流し、端子電圧が２．６Ｖ以下又は電圧差が０．２Ｖ以上となった時点の通電時間を測定し、耐酸化時間とした。尚、表１には、従来例の耐酸化時間を１００とした場合の相対値を表示した。
【００２８】
〈試験用電池の作製〉
極板は、定法により得たペースト式の正極板及び負極板を用いた（ＪＩＳ  Ｄ  ５３０１に規定の３６Ｂ２０相当）。正極板をＵ字状に包んだセパレータの側端部をシールし、この正極板を包んだセパレータを負極板で交互に挟んで、正極板６枚と負極板７枚を交互に積層して極群を組み、溶接して極群を作製した。得られた極群をポリプロピレン製の電槽へ挿入して、極群間と極柱を溶接した後、電槽蓋を熱圧着した。これに比重１．２０５（２０℃）の希硫酸電解液を注液した後、４０℃の恒温水槽中で、正極既化活物質理論容量の３５０％の電気量で１８時間の電槽化成を行い、初充電して、試験用鉛蓄電池を完成させた。
〈電池寿命〉
７５℃（気相）加速寿命試験を行った。即ち、７５℃の恒温槽内に５５Ｄ２３の鉛蓄電池を置き、放電２５Ａで４分、充電１４．８Ｖで１０分（２５Ａ制限）の充放電を繰り返し、３５６Ａで放電させて３０秒目の電圧が７．２Ｖ以下になった時点を電池寿命とした。尚、表１には、従来例の電池寿命を１００とした場合の相対値を表示した。
尚、前記実施例及び従来例の各鉛蓄電池用セパレータに対して、前記試験用電池を５個ずつ作製し、電池寿命を順次測定した。
【００２９】
【表１】
2006228637.tif 000003
【００３０】
表１の結果から以下のことが分かった。
（１）実施例のセパレータの耐酸化時間が従来例のセパレータに比べ２．５倍に向上した。
（２）実施例のセパレータを使用した電池の電池寿命が従来例のセパレータを使用した電池に比べ２倍に向上した。
（３）その他のセパレータ特性については、実施例のセパレータは従来例のセパレータと同等であり問題ない。
【図面の簡単な説明】
【００３１】
【図１】実施例の鉛蓄電池用セパレータの平面概略図
【図２】図１の要部拡大図
【図３】図２のＡ−Ａ線断面図
【符号の説明】
【００３２】
１    セパレータ
２    平板状シート（セパレータの基面（基部））
３    セパレータの正極板と接する側の面
４    主リブ
５    副リブ
６    主リブピッチ
７    副リブピッチ
８    副リブの先端部
９    ベース厚さ
１０    主リブ高さ
１１    副リブ高さ
１２    総厚さ
１３    主リブ頂面
【図１】
2006228637.tif 000004
【図２】
2006228637.tif 000005
【図３】
2006228637.tif 000006